【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】  上部露出粘着性表面を備えるフロアマットであって、前記上部露出粘着性表面が、乾燥しているときに粘着性である第１の粘着性組成物と、湿っているときに粘着性である第２の粘着性組成物とを組合せることによって形成されているフロアマット。
【請求項２】  前記上部露出粘着性表面とは別の構成部材であるスリップ防止部材をさらに備える請求項１に記載のフロアマット。
【請求項３】  前記スリップ防止部材がトレッドである請求項２に記載のフロアマット。
【請求項４】  前記上部露出粘着性表面が、該表面に開口部を含み、前記トレッドが前記開口部を通って延びている請求項３に記載のフロアマット。
【請求項５】  前記トレッドが、前記上部露出粘着性表面の上に延びている請求項３に記載のフロアマット。
【請求項６】  前記トレッドが、前記上部露出粘着性表面の下に配設された部材の表面から延びている請求項３に記載のフロアマット。
【請求項７】  前記トレッドが、前記上部露出粘着性表面の上に延びる高さよりも実質的に大きい、前記上部露出粘着性表面を越えて延びる長さを有する細長い部材である請求項３に記載のフロアマット。
【請求項８】  前記トレッドが、該トレッドの長さに沿って複数の溝部を有する請求項３に記載のフロアマット。
【請求項９】  前記トレッドが耐水性である請求項３に記載のフロアマット。
【請求項１０】  前記スリップ防止部材が、複数回の使用後も、前記上部露出粘着性表面上での滑りを防ぐ機能を維持している請求項２に記載のフロアマット。
【請求項１１】  前記上部露出粘着性表面を提供する物質が、複数の物質領域の組合せが乾燥しているときおよび湿っているとき共に粘着性であるような複数の物質領域を含む請求項１に記載のフロアマット。
【請求項１２】  前記複数の物質領域が、前記フロアマットの上部層の少なくとも一部を構成し、前記フロアマットが、前記上部層に隣接する非粘着性疎水性層と、前記疎水性層に隣接する親水性層とをさらに備える請求項１１に記載のフロアマット。
【請求項１３】  前記フロアマットが、床に接触するための耐水性の滑り止め層をさらに備える請求項１２に記載のフロアマット。
【請求項１４】  前記複数の物質領域が、粘着性の圧力に敏感に反応する領域と、非粘着性の疎水性領域と、親水性領域とを有する請求項１１に記載のフロアマット。
【請求項１５】  前記第１及び第２の粘着性組成物が、互い違いの領域からなるパターン状に配設されている請求項１に記載のフロアマット。
【請求項１６】  前記第１の粘着性組成物が、感圧性である請求項１５に記載のフロアマット。
【請求項１７】  前記第２の粘着性組成物が、天然ゴム及び合成ゴムのうちの少なくとも一方を含む請求項１５に記載のフロアマット。
【請求項１８】  前記互い違いの領域が、前記フロアマットの上部層の少なくとも一部を構成し、前記フロアマットがさらに、床に接触するための耐水性の滑り止め層を少なくとも備える請求項１５に記載のフロアマット。
【請求項１９】  前記上部露出粘着性表面となる物質が、均質な組成物を有する請求項１に記載のフロアマット。
【請求項２０】  前記均質な組成物が、親水性モノマーで覆われた感圧性の粘着物を含む請求項１９に記載のフロアマット。
【請求項２１】  前記均質な組成物が、親水コロイドゴムと混合された感圧性の粘着物を含む請求項１９に記載のフロアマット。
【請求項２２】  前記均質な組成物が、粘着剤をさらに含む請求項２１に記載のフロアマット。
【請求項２３】  前記フロアマットが、パターン状にエンボス加工されている請求項１に記載のフロアマット。
【請求項２４】  前記フロアマットは、孔が形成されている請求項１に記載のフロアマット。
【請求項２５】  複数の物質領域の組合せが乾燥しているときおよび湿っているとき共に粘着性であるような複数の物質領域を備える上部層と、
前記上部層に隣接する非粘着性の疎水性層と、
前記疎水性層に隣接する親水性層と、
床に接触するための耐水性の滑り止め層とを備えるフロアマット。
【請求項２６】  乾燥しているときに粘着性である第１の粘着性組成物と、湿っているときに粘着性である第２の粘着性組成物とからなる互い違いの領域を備える上部層と、
床に接触するための耐水性の滑り止め層とを備えるフロアマット。
【請求項２７】  乾燥しているときに粘着性である物質からなる上部層と、
前記上部層に隣接する物質からなる第２の層であって、湿っているときに粘着性である第２の層と、
床に接触するための耐水性の滑り止め層とを備え、
前記上部層が、清掃される面を、前記第２の層に接触させると共に、前記上部層にも接触させることができるようにするための孔部を有するフロアマット。
【請求項２８】  前記第２の層が親水性である請求項２７に記載のフロアマット。
【請求項２９】  均質な質感を形成するために混合された複数の物質を含む上部層であって、前記複数の物質のうちの少なくとも第１のものが感圧性の乾燥粘着物であり、前記複数の物質のうちの少なくとも第２のものが親水コロイドゴムである上部層と、
床に接触するための耐水性の滑り止め層とを備えるフロアマット。
【請求項３０】  人の靴の清浄のための上部露出粘着性表面を備えるフロアマットであって、前記上部露出粘着性表面が、それと接触する水を、前記上部露出粘着性表面を通して排出、散逸、及び吸収の少なくとも１つを許容するように多孔質であるフロアマット。
【請求項３１】  水散逸能力を有する粘着部分を含むフロアマット。
【請求項３２】  水排出能力を有する粘着部分を含むフロアマット。
【請求項３３】  水吸収能力を有する粘着部分を含むフロアマット。
【請求項３４】  水散逸能力、水排出能力及び水吸収能力の少なくとも１つを有する粘着部分を含むフロアマット。
【請求項３５】  上部露出粘着性表面を備えるフロアマットであって、前記上部露出粘着性表面が、それと接触する水を、前記上部露出粘着性表面を通して排出、散逸、及び吸収の少なくとも１つを許容するように多孔質であるフロアマット。
【請求項３６】  前記上部露出粘着性表面を提供する物質は、領域の組合せが乾燥しているとき及び湿っているときの両方のときに粘着性であるように、複数の物質領域を含む請求項３５に記載のフロアマット。
【請求項３７】  前記複数の物質領域は、感圧性粘着性領域、疎水性非粘着性領域、及び疎水性領域を含む請求項３６に記載のフロアマット。
【請求項３８】  前記上部露出粘着性表面を提供する物質は、均一組成を有する請求項３５に記載のフロアマット。
【請求項３９】  上部露出表面を有するフロアマットであって、前記上部露出表面が、粘着性、水に対しポーラスであり、水を吸収するための物質成分を含むフロアマット。
【請求項４０】  前記粘着部分は、複数の粘着層を含み、フロアマットは、更に前記粘着層を支持するように適合されたベース部分を含む請求項３１に記載のフロアマット。
【請求項４１】  前記粘着部分は、湿っているときに滑りを防止するように組み合わされた滑り防止成分を含む請求項３１に記載のフロアマット。
【請求項４２】  前記滑り防止成分は、前記粘着部分の上部露出粘着性表面により定義された孔を含む請求項４１に記載のフロアマット。
【請求項４３】  前記粘着部分は、ポーラス物質を含む請求項３１に記載のフロアマット。
【請求項４４】  前記粘着部分は、複数の粘着層を含み、フロアマットは、更に前記粘着層を支持するように適合されたベース部分を含む請求項３２に記載のフロアマット。
【請求項４５】  前記粘着部分は、湿っているときに滑りを防止するように組み合わされた滑り防止成分を含む請求項３２に記載のフロアマット。
【請求項４６】  前記滑り防止成分は、前記粘着部分の上部露出粘着性表面により定義された孔を含む請求項４５に記載のフロアマット。
【請求項４７】  前記粘着部分は、ポーラス物質を含む請求項３２に記載のフロアマット。
【請求項４８】  前記粘着部分は、複数の粘着層を含み、フロアマットは、更に前記粘着層を支持するように適合されたベース部分を含む請求項３３に記載のフロアマット。
【請求項４９】  前記粘着部分は、湿っているときに滑りを防止するように組み合わされた滑り防止成分を含む請求項３３に記載のフロアマット。
【請求項５０】  前記滑り防止成分は、前記粘着部分の上部露出粘着性表面により定義された孔を含む請求項４９に記載のフロアマット。
【請求項５１】  前記粘着部分は、多孔質物質を含む請求項３３に記載のフロアマット。
【請求項５２】  前記粘着部分は、疎水性物質を含む請求項３３に記載のフロアマット。